(57)【要約】【課題】運搬および設置が容易でありながら、傾斜地の土砂の崩壊を防止できる土嚢袋を提供する。【解決手段】傾斜地の傾斜面に設置され、土砂が入れられることにより略Ｌ字状に形成される土嚢袋１であって、傾斜面に設置されたときに上方を向く開口部１１が形成され、この開口部１１から土砂が入れられる袋部１０と、この袋部の開口部近傍から延出する布部２０とを備え、布部２０は、袋部１０に接して配置され、土砂が裁置される裁置部２１と、この裁置部２１に裁置された土砂を被覆する被覆部２２と、傾斜面に設置されたときに、土砂を被覆した被覆部２２の上面および袋部１０の開口部１１を覆い、略水平面を形成する踏み面部２３とから成る。【選択図】図１
2008150879.tif 000002
【特許請求の範囲】
【請求項１】
傾斜地の傾斜面に設置され、土砂が入れられることにより略Ｌ字状に形成される土嚢袋であって、
前記傾斜面に設置されたときに上方を向く開口部が形成され、この開口部から土砂が入れられる袋部と、
この袋部の前記開口部近傍から延出する布部とを備え、
前記布部は、前記袋部に接して配置され、土砂が裁置される裁置部と、
この裁置部に裁置された土砂を被覆する被覆部と、
前記傾斜面に設置されたときに、土砂を被覆した前記被覆部の上面および前記袋部の前記開口部を覆い、略水平面を形成する踏み面部とから成ることを特徴とする土嚢袋。
【請求項２】
請求項１に記載の土嚢袋であって、
前記被覆部は、互いに対向する第１被覆部と第２被覆部とから成り、これらの第１被覆部および第２被覆部を固縛する固縛部を備えることを特徴とする土嚢袋。
【請求項３】
請求項１または２に記載の土嚢袋であって、
前記袋部および前記布部は、網状の素材により形成され、
前記袋部には、植物の種子を混入した土砂が入れられ、
前記布部の前記裁置部には、植物の種子を混入した土砂が裁置されることを特徴とする土嚢袋。
【請求項４】
請求項１から３のいずれかに記載の土嚢袋であって、
前記被覆部の前記上面以外の部分に、複数の前記土嚢袋を互いに連結する第１連結部が設けられ、
前記傾斜面に設置されたときに、前記袋部の前記傾斜面の傾斜方向に対して略直交する部分に複数の前記土嚢袋を互いに連結する第２連結部が設けられることを特徴とする土嚢袋。
【請求項５】
複数の請求項４に記載の土嚢袋を前記傾斜面の傾斜方向に沿って順次並べて配置する階段システムであって、
前記傾斜面に設置されたときに、複数の前記土嚢袋のうちのいずれかである第１土嚢袋の前記第１連結部と、前記傾斜面の登り方向において前記第１土嚢袋の次に配置される第２土嚢袋の前記第２連結部とが連結されることを特徴とする階段システム。
【発明の詳細な説明】
【技術分野】
【０００１】
本発明は、土嚢袋に関する。詳しくは、傾斜地に設置される土嚢袋に関する。
【背景技術】
【０００２】
従来より、送電線の巡視業務において、この送電線の巡視のために歩行する巡視路に、傾斜地が形成された山道がある場合には、この傾斜地に鍬入れを行い、その後に簡易階段を設置することで、歩行しやすい巡視路を確保している。
【０００３】
このような簡易階段としては、例えば、プラスチックの板材により形成した各段を、踏み部と、蹴込部と、この蹴込部に対応して踏み部の後端辺に接続する取付部とを一体に形成し、複数の各段、およびこれら複数の各段と地表面とを鋼棒により固定するプレハブ式階段がある（特許文献１参照）。
この特許文献１のプレハブ式階段によれば、複数の各段を個々に運搬し、階段の設置場所に鍬入れをし、この鍬入れをした部分の先端部分に各段を設置し、鋼棒で地表面に固定することで、階段を形成できるので、容易に階段を設置できる。
【特許文献１】実公昭６３−３５０７２号公報
【発明の開示】
【発明が解決しようとする課題】
【０００４】
しかしながら、各段をプラスチックの板材により形成すると、この各段の重量が重くなり、この各段を運搬する車輌が進入できず、人力で運搬することとなる山道には、持っていける各段の数量は限られる。
【０００５】
また、この各段は、鍬入れをした部分の先端部分により支持されているので、この先端部分が天候や経年により劣化すると、この各段を支持する先端部分の土砂ごと崩壊するおそれがあった。
【０００６】
さらに、この各段の設置は、地表面を鍬入れし、この鍬入れにより排出した土砂をならしてから、この鍬入れした部分の先端部分を整地し、この整地した先端部分に各段を固定するという手順で行われるため、この各段の設置を開始してから設置が終了するまでの時間が掛かっていた。
【０００７】
本発明は、運搬および設置が容易でありながら、傾斜地の土砂の崩壊を防止できる土嚢袋を提供することを目的とする。
【課題を解決するための手段】
【０００８】
（１）傾斜地の傾斜面に設置され、土砂が入れられることにより略Ｌ字状に形成される土嚢袋（例えば、実施の形態における土嚢袋１）であって、前記傾斜面に設置されたときに上方を向く開口部（例えば、実施の形態における開口部１１）が形成され、この開口部から土砂が入れられる袋部（例えば、実施の形態における袋部１０）と、この袋部の前記開口部近傍から延出する布部（例えば、実施の形態における布部２０）とを備え、前記布部は、前記袋部に接して配置され、土砂が裁置される裁置部（例えば、実施の形態における裁置部２１）と、この裁置部に裁置された土砂を被覆する被覆部（例えば、実施の形態における被覆部２２）と、前記傾斜面に設置されたときに、土砂を被覆した前記被覆部の上面および前記袋部の前記開口部を覆い、略水平面を形成する踏み面部（例えば、実施の形態における踏み面部２３）とから成ることを特徴とする土嚢袋。
【０００９】
（１）の発明によれば、傾斜地の傾斜面に設置され、土砂が入れられることにより略Ｌ字状に形成される土嚢袋を、傾斜面に設置したときに上方を向く開口部を形成し、この開口部から土砂が入れる袋部と、この袋部の開口部近傍から延出する布部とで構成し、この布部を、袋部に接して配置し、土砂を裁置する裁置部と、この裁置部に裁置した土砂を被覆する被覆部と、傾斜面に設置したときに、土砂を被覆した被覆部の上面および袋部の開口部を覆い、略水平面を形成する踏み面部とで構成した。
よって、この土嚢袋を傾斜地の傾斜面に設置する手順は、以下のようになる。
まず、傾斜地の傾斜面に略鉛直方向に鍬入れを行い、この鍬入れを行った部分に袋部を配置し、鍬入れで排出した土砂をこの袋部に入れていく。次に、略水平方向に鍬入れを行い、この鍬入れを行った部分に布部の裁置部を配置し、鍬入れで排出した土砂を裁置部の上に裁置し、この裁置した土を布部の被覆部で被覆し、この被覆部の上面および袋部の開口部を布部の踏み面部で覆う。
【００１０】
したがって、土砂が入れられていない状態の土嚢袋は、プラスチックの板材等に比べて軽量であるので、車輌が進入できない山道であっても、人力で容易に運搬できる。また、鍬入れで排出した土砂を袋部に入れ、裁置部の上に裁置し、この土砂を処理する必要がないので、土嚢袋を略Ｌ字状に形成して容易に設置できる。また、傾斜地の傾斜面に鍬入れした部分を土嚢袋で覆い、この鍬入れした部分が風雨に直接さらされることがないので、傾斜地の土砂の崩壊を防止できる。
【００１１】
（２）（１）に記載の土嚢袋であって、前記被覆部は、互いに対向する第１被覆部（例えば、実施の形態における第１被覆部２２ａ）と第２被覆部（例えば、実施の形態における第２被覆部２２ｂ）とから成り、これらの第１被覆部および第２被覆部を固縛する固縛部（例えば、実施の形態における固縛部３１）を備えることを特徴とする土嚢袋。
【００１２】
（２）の発明によれば、被覆部を、互いに対向する第１被覆部と第２被覆部とで構成し、これらの第１被覆部および第２被覆部を固縛する固縛部を備えた。
よって、裁置部の上に裁置した土砂を第１被覆部および第２被覆部により被覆し、これら第１被覆部および第２被覆部を互いに固縛部により固縛することで、裁置部の上に裁置した土砂を確実に保持できるので、長期間に亘り土嚢袋の略Ｌ字状の形状を維持できる。
【００１３】
（３）（１）または（２）に記載の土嚢袋であって、前記袋部および前記布部は、網状の素材により形成され、前記袋部には、植物の種子を混入した土砂が入れられ、前記布部の前記裁置部には、植物の種子を混入した土砂が裁置されることを特徴とする土嚢袋。
【００１４】
（３）の発明によれば、袋部および布部を、網状の素材により形成し、袋部には、植物の種子を混入した土砂を入れ、布部の裁置部に、植物の種子を混入した土砂を裁置したので、この土嚢袋を設置後に、自然雨水により、袋部の土砂に混入した植物の種子や、裁置部に裁置した土砂に混入した植物の種子が植生し、根を張ることで、長期間に亘り土嚢袋の略Ｌ字状の形状を維持できる。
【００１５】
（４）（１）から（３）のいずれかに記載の土嚢袋であって、前記被覆部の前記上面以外の部分に、複数の前記土嚢袋を互いに連結する第１連結部（例えば、実施の形態における第１連結部３５）が設けられ、前記傾斜面に設置されたときに、前記袋部の前記傾斜面の傾斜方向に対して略直交する部分に複数の前記土嚢袋を互いに連結する第２連結部（例えば、実施の形態における第２連結部３６）が設けられることを特徴とする土嚢袋。
【００１６】
（４）の発明によれば、被覆部の上面以外の部分に、複数の土嚢袋を互いに連結する第１連結部を設け、傾斜面に設置されたときに、袋部の傾斜面の傾斜方向に対して略直交する部分に複数の土嚢袋を互いに連結する第２連結部を設けた。
よって、複数の土嚢袋を互いに連結することで、土嚢袋が設置した位置からずれるのを防止できるので、傾斜地の土砂の崩壊をより確実に防止できる。
【００１７】
（５）複数の（４）に記載の土嚢袋を前記傾斜面（例えば、実施の形態における傾斜面３００）の傾斜方向に沿って順次並べて配置する階段システム（例えば、実施の形態における階段システム１００）であって、前記傾斜面に設置されたときに、複数の前記土嚢袋のうちのいずれかである第１土嚢袋の前記第１連結部と、前記傾斜面の登り方向において前記第１土嚢袋の次に配置される第２土嚢袋の第２連結部とが連結されることを特徴とする階段システム。
【００１８】
（５）の発明によれば、土嚢袋を傾斜面の傾斜方向に沿って順次並べて配置する階段システムにおいて、傾斜面に設置されたときに、複数の土嚢袋のうちのいずれかである第１土嚢袋の第１連結部と、傾斜面の登り方向において第１土嚢袋の次に配置される第２土嚢袋の第２連結部とを連結した。
【００１９】
よって、この階段システムを設置する手順は、以下のようになる。
まず、第１土嚢袋を設置するために、傾斜地の傾斜面に略鉛直方向に鍬入れを行い、この鍬入れを行った部分に袋部を配置し、鍬入れで排出した土砂をこの袋部に入れる。次に、略水平方向に鍬入れを行い、この鍬入れを行った部分に布部を配置し、鍬入れで排出した土砂を布部で覆う。
次に、第２土嚢袋を設置するために、第１土嚢袋より登り方向の傾斜地の傾斜面に略鉛直方向に鍬入れを行い、この鍬入れを行った部分であって第１土嚢袋の布部に接するように袋部を配置し、以降、第１土嚢袋と同様の手順で第２土嚢袋を設置する。
次に、第１土嚢袋の第１連結部と、第２土嚢袋の第２連結部とを連結する。
以上の手順を所定回数、繰り返すことで、所定回数に応じた段数を有する階段システムが設置できる。
【００２０】
したがって、土砂の入っていない土嚢袋は軽量なので、車輌が進入できない山道であっても、複数の土嚢袋を人力で容易に運搬できる。また、鍬入れにより排出した土砂を土嚢袋に入れるという手順を繰り返すだけで、傾斜地の傾斜面に階段を設置できるので、傾斜面における歩行路の確保が容易になる。また、この複数の土嚢袋を設置した後に、これらを互いに連結するので、長期間に亘り階段の形状を維持できる。
【発明の効果】
【００２１】
本発明によれば、土砂が入れられていない状態の土嚢袋は、プラスチックの板材等に比べて軽量であるので、車輌が進入できない山道であっても、人力で容易に運搬できる。また、鍬入れで排出した土砂を袋部に入れ、裁置部の上に裁置し、この土砂を処理する必要がないので、土嚢袋を略Ｌ字状に形成して容易に設置できる。また、傾斜地の傾斜面に鍬入れした部分を土嚢袋で覆い、この鍬入れした部分が風雨に直接さらされることがないので、傾斜地の土砂の崩壊を防止できる。
【発明を実施するための最良の形態】
【００２２】
＜第１実施形態＞
図１は、本発明の第１実施形態に係る土砂が入れられた状態の土嚢袋１の斜視図である。
土嚢袋１は、傾斜面に設置されたときに略鉛直方向に立設する略直方体状の袋部１０と、この袋部１０の上部から略水平方向に延出する略直方体状の布部２０とを備える。すなわち、土嚢袋１は、土砂が入れられることにより略Ｌ字状に形成されている。
【００２３】
袋部１０および布部２０は、網状の素材により形成されている。この網状の素材には、ナイロンの目が粗いものが用いられる。また、土嚢袋１に入れられる土砂には、植物の種子を混入した土砂が用いられる。
【００２４】
袋部１０には、この袋部１０における傾斜面の傾斜方向に対して略直交する部分の２つの側面に、それぞれ、複数の土嚢袋１を互いに連結する第２連結部３６が設けられている。
布部２０には、この布部２０における傾斜面の傾斜方向に対して略直交する部分の２つの側面に、それぞれ、複数の土嚢袋１を互いに連結する第１連結部３５が設けられている。
【００２５】
図２は、本発明の第１実施形態に係る土嚢袋１の展開図である。
図２を用いて、土嚢袋１の袋部１０および布部２０を詳細に説明する。
袋部１０は、傾斜面に設置されたときに上方を向く開口部１１が形成されている。
【００２６】
布部２０は、袋部１０の開口部１１に１辺が接続され、土砂が裁置される略矩形状の裁置部２１と、この裁置部２１に裁置された土砂を被覆し、この裁置部２１の開口部１１に接続された１辺に略直交する２辺にそれぞれ接続された略矩形状の第１被覆部２２ａおよび第２被覆部２２ｂと、裁置部２１の開口部１１に接続された１辺に対向する１辺に接続された略矩形状の踏み面部２３とから成る。この踏み面部２３は、傾斜面に設置されたときに、土砂を被覆した第１被覆部２２ａおよび第２被覆部２２ｂの上面および袋部１０の開口部１１を覆い、略水平面を形成する。
【００２７】
第１被覆部２２ａおよび第２被覆部２２ｂと踏み面部２３とは、長辺と短辺が互いに対向した略台形状に形成され、短辺が裁置部２１と接続されている。
【００２８】
袋部１０の上部と踏み面部２３の先端部分とには、これらを互いに固縛する踏み面固縛部３２が設けられている。この踏み面固縛部３２は、袋部１０の上部に設けられた２つの第１踏み面固縛部３２ａと、踏み面部２３の先端部分に設けられた２つの第２踏み面固縛部３２ｂとから成る。
【００２９】
第１被覆部２２ａの先端部分と第２被覆部２２ｂの先端部分とには、これらを互いに固縛する固縛部３１が設けられている。この固縛部３１は、第１被覆部２２ａの先端部分に設けられた２つの第１固縛部３１ａと、この第２被覆部２２ｂの先端部分に設けられ、２つの第１固縛部３１ａと互いに対向するように設けられた２つの第２固縛部３１ｂとから成る。
【００３０】
図３は、本発明の第１実施形態に係る土嚢袋１の設置手順を示す斜視図である。
土嚢袋１は、図３中の（ａ）、（ｂ）、（ｃ）、（ｄ）の順で組み立てることにより、傾斜地の傾斜面に設置される。
【００３１】
図３を用いて、土嚢袋１の設置手順を説明する。
まず、傾斜地の傾斜面に略鉛直方向に鍬入れを行う。次に、（ａ）に示すように、この鍬入れを行った部分に袋部１０を配置し、鍬入れで排出した土砂をこの袋部１０に開口部１１から入れる。次に、略水平方向に鍬入れを行い、この鍬入れを行った部分に布部２０の裁置部２１を配置し、鍬入れで排出した土砂を裁置部２１の上に裁置する。
【００３２】
次に、（ｂ）に示すように、裁置部２１の上に裁置した土を第１被覆部２２ａおよび第２被覆部２２ｂにより両側から被覆し、これら第１被覆部２２ａと第２被覆部２２ｂとを互いに固縛部３１により固縛する。
【００３３】
次に、（ｃ）に示すように、互いに固縛した第１被覆部２２ａおよび第２被覆部２２ｂの上面と、袋部１０の開口部１１とを布部２０の踏み面部２３で覆い、袋部１０と踏み面部２３とを互いに踏み面固縛部３２により固縛する。
以上の手順により、（ｄ）に示すように、土嚢袋１の設置が完了する。
【００３４】
本実施形態によれば、以下のような効果がある。
（１）土砂が入れられていない状態の土嚢袋１は、プラスチックの板材等に比べて軽量であるので、車輌が進入できない山道であっても、人力で容易に運搬できる。また、鍬入れで排出した土砂を袋部１０に入れ、裁置部２１の上に裁置し、この土砂を処理する必要がないので、土嚢袋１を略Ｌ字状に形成して容易に設置できる。また、傾斜地の傾斜面に鍬入れした部分を土嚢袋１で覆い、この鍬入れした部分が風雨に直接さらされることがないので、傾斜地の土砂の崩壊を防止できる。
【００３５】
（２）被覆部２２を、互いに対向する第１被覆部２２ａと第２被覆部２２ｂとで構成し、これらの第１被覆部２２ａおよび第２被覆部２２ｂを固縛する固縛部３１を備えた。
よって、裁置部２１の上に裁置した土砂を第１被覆部２２ａおよび第２被覆部２２ｂにより包み込み、これら第１被覆部２２ａおよび第２被覆部２２ｂを互いに固縛部３１により固縛することで、裁置部２１の上に裁置した土砂を確実に保持できるので、長期間に亘り土嚢袋１の略Ｌ字状の形状を維持できる。
【００３６】
（３）袋部１０および布部２０を、網状の素材により形成し、袋部１０には、植物の種子を混入した土砂を入れ、布部２０の裁置部２１に、植物の種子を混入した土砂を裁置したので、この土嚢袋１を設置後に、自然雨水により、袋部１０の土砂に混入した植物の種子や、裁置部２１に裁置した土砂に混入した植物の種子が植生し、根を張ることで、長期間に亘り土嚢袋１の略Ｌ字状の形状を維持できる。
【００３７】
（４）被覆部２２の上面以外の部分に、複数の土嚢袋１を互いに連結する第１連結部３５を設け、傾斜面に設置されたときに、袋部１０の傾斜面の傾斜方向に対して略直交する部分に複数の土嚢袋１を互いに連結する第２連結部３６を設けた。
よって、複数の土嚢袋１を互いに連結することで、土嚢袋１が設置した位置からずれるのを防止できるので、傾斜地の土砂の崩壊をより確実に防止できる。
【００３８】
＜第２実施形態＞
以下の第２実施形態の説明にあたって、第１実施形態と同一構成要件については同一符号を付し、その説明を省略もしくは簡略化する。
図４は、本発明の第２実施形態に係る階段システム１００の斜視図である。
【００３９】
第２実施形態の階段システム１００は、第１実施形態の土嚢袋１と同一の構成を備える第１土嚢袋１ａ、第２土嚢袋１ｂ、第３土嚢袋１ｃ、第４土嚢袋１ｄ、第５土嚢袋１ｅを傾斜面３００の傾斜方向に沿って順次並べて配置したものである。
【００４０】
階段システム１００は、第１土嚢袋１ａの第１連結部３５と、傾斜面３００の登り方向において第１土嚢袋１ａの次に配置される第２土嚢袋１ｂの第２連結部３６とが連結されている。また、第２土嚢袋１ｂの第１連結部３５と、傾斜面３００の登り方向において第２土嚢袋１ｂの次に配置される第３土嚢袋１ｃの第２連結部３６とが連結されている。また、第３土嚢袋１ｃの第１連結部３５と、傾斜面３００の登り方向において第３土嚢袋１ｃの次に配置される第４土嚢袋１ｄの第２連結部３６とが連結されている。また、第４土嚢袋１ｄの第１連結部３５と、傾斜面３００の登り方向において第４土嚢袋１ｄの次に配置される第５土嚢袋１ｅの第２連結部３６とが連結されている。
【００４１】
次に、階段システム１００を設置する手順を説明する。
まず、第１土嚢袋１ａを設置するために、傾斜地の傾斜面３００に略鉛直方向に鍬入れを行い、この鍬入れを行った部分に袋部１０を配置し、鍬入れで排出した土砂をこの袋部１０に入れていく。次に、略水平方向に鍬入れを行い、この鍬入れを行った部分に布部２０を配置し、鍬入れで排出した土砂を布部２０で覆う。
次に、第２土嚢袋１ｂを設置するために、第１土嚢袋１ａより登り方向の傾斜地の傾斜面３００に略鉛直方向に鍬入れを行い、この鍬入れを行った部分であって第１土嚢袋１ａの布部２０に接するように第２土嚢袋１ｂの袋部１０を配置し、以降、第１土嚢袋１ａと同様の手順で第２土嚢袋１ｂを設置する。そして、第１土嚢袋１ａの第１連結部３５と、第２土嚢袋１ｂの第２連結部３６とを連結する。
【００４２】
次に、第３土嚢袋１ｃを設置するために、第２土嚢袋１ｂより登り方向の傾斜地の傾斜面３００に略鉛直方向に鍬入れを行い、この鍬入れを行った部分であって第２土嚢袋１ｂの布部２０に接するように第３土嚢袋１ｃの袋部１０を配置し、以降、第１土嚢袋１ａと同様の手順で第３土嚢袋１ｃを設置する。そして、第２土嚢袋１ｂの第１連結部３５と、第３土嚢袋１ｃの第２連結部３６とを連結する。
【００４３】
次に、第４土嚢袋１ｄを設置するために、第３土嚢袋１ｃより登り方向の傾斜地の傾斜面３００に略鉛直方向に鍬入れを行い、この鍬入れを行った部分であって第３土嚢袋１ｃの布部２０に接するように第４土嚢袋１ｄの袋部１０を配置し、以降、第１土嚢袋１ａと同様の手順で第４土嚢袋１ｄを設置する。そして、第３土嚢袋１ｃの第１連結部３５と、第４土嚢袋１ｄの第２連結部３６とを連結する。
【００４４】
次に、第５土嚢袋１ｅを設置するために、第４土嚢袋１ｄより登り方向の傾斜地の傾斜面３００に略鉛直方向に鍬入れを行い、この鍬入れを行った部分であって第４土嚢袋１ｄの布部２０に接するように第５土嚢袋１ｅの袋部１０を配置し、以降、第１土嚢袋１ａと同様の手順で第５土嚢袋１ｅを設置する。そして、第４土嚢袋１ｄの第１連結部３５と、第５土嚢袋１ｅの第２連結部３６とを連結する。
以上の手順により、５段の階段システム１００が設置できる。
【００４５】
本実施形態によれば、以下のような効果がある。
（５）土砂の入っていない土嚢袋は軽量なので、車輌が進入できない山道であっても、複数の土嚢袋を人力で容易に運搬できる。また、鍬入れにより排出した土砂を土嚢袋に入れるという手順を繰り返すだけで、傾斜地の傾斜面に階段を設置できるので、傾斜面における歩行路の確保が容易になる。また、この複数の土嚢袋を設置した後に、これらを互いに連結するので、長期間に亘り階段の形状を維持できる。
【００４６】
＜第３実施形態＞
以下の第３実施形態の説明にあたって、第１実施形態と同一構成要件については同一符号を付し、その説明を省略もしくは簡略化する。
図５は、本発明の第３実施形態に係る土留めシステム１５０の斜視図である。
【００４７】
第３実施形態の土留めシステム１５０は、第１実施形態の土嚢袋１と同一の構成を備える第６土嚢袋１ｆ、第７土嚢袋１ｇ、第８土嚢袋１ｈ、第９土嚢袋１ｉ、第１０土嚢袋１ｊを傾斜面３００の傾斜方向と略直交する方向に沿って並べて配置したものである。
【００４８】
本実施形態によれば、以下のような効果がある。
複数の略Ｌ字状に形成した土嚢袋を傾斜面の傾斜方向と略直交する方向に沿って並べて配置しただけで、傾斜面の法肩や法尻を保護できるので、傾斜地の土砂の崩壊を容易に防止できる。
【００４９】
＜第４実施形態＞
以下の第４実施形態の説明にあたって、第１実施形態と同一構成要件については同一符号を付し、その説明を省略もしくは簡略化する。
図６は、本発明の第４実施形態に係る土嚢袋２の斜視図である。
【００５０】
第４実施形態の土嚢袋２は、第１実施形態の布部２０の形態および接続位置が異なる布部２２０を備える点、および第１実施形態の第１連結部３５に相当する第１連結部２３５が袋部２１０に設けられている点が、第１実施形態の土嚢袋１と異なる。
【００５１】
土嚢袋２は、略直方体状に形成され略矩形の開口部２１１を有する袋部２１０と、この袋部１０の上端部から略水平方向に延出する略台形状の布部２２０とを備える。
【００５２】
袋部２１０には、２つの側面の上方に、それぞれ、複数の土嚢袋２を互いに連結する第１連結部２３５が設けられている。
また、袋部２１０には、２つの側面の下方に、それぞれ、複数の土嚢袋２を互いに連結する第２連結部２３６が設けられている。
【００５３】
布部２０は、長辺と短辺が互いに対向した略台形状に形成され、短辺が袋部２１０と接続されている。
【００５４】
袋部２１０の上部と布部２０の先端部分とには、これらを互いに固縛する踏み面固縛部２３２が設けられている。この踏み面固縛部２３２は、袋部２１０の上部に設けられた２つの第１踏み面固縛部２３２ａと、布部２０の先端部分に設けられた２つの第２踏み面固縛部２３２ｂとから成る。
【００５５】
次に、袋部２１０に土砂を入れる手順を説明する。
まず、袋部２１０の開口部２１１から土砂を入れる。次に、この開口部２１１を布部２２０で覆い、袋部２１０と布部２２０とを互いに踏み面固縛部２３２により固縛する。
【００５６】
図７は、本発明の第４実施形態に係る階段システム２００の斜視図である。
階段システム２００は、土嚢袋２（図６参照）に土砂を入れ、土嚢袋２の袋部２１０の長辺方向を略鉛直方向に向けたものと、土嚢袋２の袋部２１０の長辺方向を略水平方向に向けたものとを交互に、傾斜面３００の登り方向に沿って配置したものである。
【００５７】
階段システム２００は、第１土嚢袋２ａの第１連結部２３５と、傾斜面３００の登り方向において第１土嚢袋２ａの次に配置される第２土嚢袋２ｂの第２連結部２３６とが連結されている。また、第２土嚢袋２ｂの第１連結部２３５と、傾斜面３００の登り方向において第２土嚢袋２ｂの次に配置される第３土嚢袋２ｃの第２連結部２３６とが連結されている。また、第３土嚢袋２ｃの第１連結部２３５と、傾斜面３００の登り方向において第３土嚢袋２ｃの次に配置される第４土嚢袋２ｄの第２連結部２３６とが連結されている。また、第４土嚢袋２ｄの第１連結部２３５と、傾斜面３００の登り方向において第４土嚢袋２ｄの次に配置される第５土嚢袋２ｅの第２連結部２３６とが連結されている。
【００５８】
次に、階段システム２００を設置する手順を説明する。
まず、第１土嚢袋２ａを設置するために、傾斜地の傾斜面３００に略鉛直方向に鍬入れを行い、この鍬入れを行った部分に袋部２１０を配置する。このとき、袋部２１０はこの袋部２１０の長辺方向が略鉛直方向に向くように配置する。その後、鍬入れで排出した土砂をこの袋部２１０に入れ、布部２２０で覆う。
【００５９】
次に、第２土嚢袋２ｂを設置するために、第１土嚢袋２ａより登り方向の傾斜地の傾斜面３００に略水平方向に鍬入れを行い、この鍬入れを行った部分に袋部２１０を配置する。このとき、袋部２１０はこの袋部２１０の長辺方向が略鉛直方向に向くように配置する。その後、鍬入れで排出した土砂をこの袋部２１０に入れ、布部２２０で覆う。次に、袋部２１０の長辺方向が略水平方向に向くように、この第２土嚢袋２ｂを倒し、鍬入れを行った部分であって第１土嚢袋２ａの袋部２１０に接するように、この第２土嚢袋２ｂを配置する。その後、第１土嚢袋２ａの第１連結部２３５と、第２土嚢袋２ｂの第２連結部２３６とを連結する。
【００６０】
次に、第３土嚢袋１ｃを設置するために、第２土嚢袋２ｂより登り方向の傾斜地の傾斜面３００に略鉛直方向に鍬入れを行い、この鍬入れを行った部分であって第２土嚢袋２ｂに接するように第３土嚢袋２ｃの袋部２１０を配置する。このとき、袋部２１０はこの袋部２１０の長辺方向が略鉛直方向に向くように配置する。その後、鍬入れで排出した土砂をこの袋部２１０に入れ、布部２２０で覆う。その後、第２土嚢袋２ｂの第１連結部２３５と、第３土嚢袋２ｃの第２連結部２３６とを連結する。
【００６１】
次に、第４土嚢袋２ｄを設置するために、第３土嚢袋２ｃより登り方向の傾斜地の傾斜面３００に略水平方向に鍬入れを行い、この鍬入れを行った部分に袋部２１０を配置する。このとき、袋部２１０はこの袋部２１０の長辺方向が略鉛直方向に向くように配置する。その後、鍬入れで排出した土砂をこの袋部２１０に入れ、布部２２０で覆う。次に、袋部２１０の長辺方向が略水平方向に向くように、この第４土嚢袋２ｄを倒し、鍬入れを行った部分であって第３土嚢袋２ｃの袋部２１０に接するように、この第４土嚢袋２ｄを配置する。その後、第３土嚢袋２ｃの第１連結部２３５と、第４土嚢袋２ｄの第２連結部２３６とを連結する。
【００６２】
次に、第５土嚢袋２ｅを設置するために、第４土嚢袋２ｄより登り方向の傾斜地の傾斜面３００に略鉛直方向に鍬入れを行い、この鍬入れを行った部分であって第４土嚢袋２ｄに接するように第５土嚢袋２ｅの袋部２１０を配置する。このとき、袋部２１０はこの袋部２１０の長辺方向が略鉛直方向に向くように配置する。その後、鍬入れで排出した土砂をこの袋部２１０に入れ、布部２２０で覆う。その後、第４土嚢袋２ｄの第１連結部２３５と、第５土嚢袋２ｅの第２連結部２３６とを連結する。
以上の手順により、３段の階段システム２００が設置できる。
【００６３】
本実施形態によれば、略直方体状に形成され略矩形の開口部を有する土嚢袋を傾斜面の傾斜方向に沿って順次並べて配置する階段システムであって、前記土嚢袋は、前記土嚢袋の長辺方向を略鉛直方向に向けたものと、前記土嚢袋の長辺方向を略水平方向に向けたものとを交互に配置され、前記傾斜面に設置されたときに、複数の前記土嚢袋のうちのいずれかである第１土嚢袋の前記第１連結部と、前記傾斜面の登り方向において前記第１土嚢袋の次に配置される第２土嚢袋の前記第２連結部とが連結されることを特徴とする階段システムとして構成した。
【００６４】
これにより、土嚢袋を略直方体状に形成したので、この土嚢袋が空の状態でも略直方体状の形状を維持できるので、この土嚢袋に土砂を入れる作業が容易になる。
また、土嚢袋の向きを交互に変えて、この土嚢袋を傾斜面の傾斜方向に沿って配置することで、階段を形成できる。したがって、同一の形態である略直方体状の土嚢袋を用いて、階段の蹴込み部と踏み面部とを形成できるので、複数種類の形態の土嚢袋や複雑な形態の土嚢袋を用意する場合に比べて、土嚢袋の製作費を抑えつつ、傾斜地の傾斜面に階段を設置できる。
【００６５】
本発明は上記実施形態に限定されるものではなく、本発明の目的を達成できる範囲での変形、改良等は本発明に含まれるものである。
【００６６】
上記実施形態では、階段システム１００、土留めシステム１５０および階段システム２００に使用する土嚢袋を５つとしたが、これに限らない。
例えば、階段システム１００、土留めシステム１５０および階段システム２００では、傾斜面の傾斜角度や、傾斜面の長さ等の傾斜面の状況に応じて任意の数量の土嚢袋を用いることができる。
【図面の簡単な説明】
【００６７】
【図１】本発明の第１実施形態に係る土砂が入れられた状態の土嚢袋の斜視図である。
【図２】本発明の第１実施形態に係る土嚢袋の展開図である。
【図３】本発明の第１実施形態に係る土嚢袋の設置手順（ａ）、（ｂ）、（ｃ）、（ｄ）を示す図である。
【図４】本発明の第２実施形態に係る階段システムの斜視図である。
【図５】本発明の第３実施形態に係る土留めシステムの斜視図である。
【図６】本発明の第４実施形態に係る土嚢袋の斜視図である。
【図７】本発明の第４実施形態に係る階段システムの斜視図である。
【符号の説明】
【００６８】
１、２  土嚢袋
１０、２１０  袋部
１１、２１１  開口部
２０、２２０  布部
２１  裁置部
２２  被覆部
２２ａ  第１被覆部
２２ｂ  第２被覆部
２３  踏み面部
３１  固縛部
３５、２３５  第１連結部
３６、２３６  第２連結部
１００、２００  階段システム
【図１】
2008150879.tif 000003
【図２】
2008150879.tif 000004
【図３】
2008150879.tif 000005
【図４】
2008150879.tif 000006
【図５】
2008150879.tif 000007
【図６】
2008150879.tif 000008
【図７】
2008150879.tif 000009